(57)【要約】【課題】金属センサを有しなくても、ＩＣカードのロック機能を簡易に実現することができ、ひいては通信破断を防ぐことが可能な媒体処理装置及びその制御方法を提供する。【解決手段】  カードリーダ１において、カード９に搭載された集積回路の端子（ＩＣ端子パターン９５）に接触する接点機構（ＩＣ接点ブロック５）と、カード９が、端子と接点機構とが接触する接触位置まで挿入されたことを検知する検知手段（検知スイッチ４）と、接触位置にカードを固定するロック手段（ロックレバー２等）と、ロック手段によるロックの実行及び解除を制御する制御手段（ＣＰＵ５１等）と、を備え、制御手段は、検知手段がカードの挿入を検知すると同時に、ロック手段によるロックを実行し、その後、集積回路の活性化処理に対応してカードが活性化しないとき、ロック手段のロックを解除する。【選択図】図４
2008203918.tif 000002
【特許請求の範囲】
【請求項１】
カードを挿入口から挿入し、カードの後端の少なくとも一部を当該挿入口から露出させた状態で搬送路の最奥位置に到達させた後、当該カードを引き抜く手動動作に対応してカードに対する情報の処理を実行する媒体処理装置において、
カードに搭載された集積回路の端子に接触する接点機構と、
カードが、前記端子と前記接点機構とが接触する接触位置まで挿入されたことを検知する検知手段と、
前記接触位置にカードを固定するロック手段と、
前記ロック手段によるロックの実行及び解除を制御する制御手段と、を備え、
前記制御手段は、前記検知手段がカードの挿入を検知すると同時に、前記ロック手段によるロックを実行し、その後、前記集積回路の活性化処理に対応してカードが活性化しないとき、前記ロック手段のロックを解除することを特徴とする媒体処理装置。
【請求項２】
前記搬送路に臨み、カードに搭載された磁気情報記録部に摺接する磁気処理手段を備えることを特徴とする請求項１記載の媒体処理装置。
【請求項３】
前記ロック手段は、ソレノイドと、当該ソレノイドによって移動するロックレバーを有しており、
前記ロックレバーは、カードの位置をロックするロック位置と、カードのロックを解除する解除位置との間を移動することを特徴とする請求項１又は２記載の媒体処理装置。
【請求項４】
前記検知手段は、カードの挿入に連動して移動する移動部材と、当該移動部材の移動により入射光が遮断されるフォトセンサと、を備えることを特徴とする請求項１から３のいずれか記載の媒体処理装置。
【請求項５】
カードを挿入口から挿入し、カードの後端の少なくとも一部を当該挿入口から露出させた状態で搬送路の最奥位置に到達させた後、当該カードを引き抜く手動動作に対応してカードに対する情報の処理を実行する媒体処理装置の制御方法において、
前記媒体処理装置には、カードに搭載された集積回路の端子に接触する接点機構が設けられており、
カードが、前記端子と前記接点機構とが接触する接触位置まで挿入されたことを検知する検知ステップと、
前記検知ステップにより、カードが、前記接触位置まで挿入されたことが検知されると同時に、カードをロックするロックステップと、
前記ロックステップの後、処理対象となるカードの種別を判断する判断ステップと、
前記判断ステップにおいて、カードがＩＣカードでないと判別されたとき、カードのロックを解除する解除ステップと、を含むことを特徴とする媒体処理装置の制御方法。
【請求項６】
前記判断ステップは、上位装置からのコマンドに対してカードからの応答があるとき、カードをＩＣカードであると判別する一方で、上位装置からのコマンドに対してカードからの応答がないとき、ＩＣカードでないと判別することを特徴とする請求項５記載の媒体処理装置の制御方法。
【請求項７】
カードをＩＣカードであると判別したとき、前記集積回路に対する情報処理を実行するＩＣ処理ステップと、
前記ＩＣ処理ステップの終了と同時に、カードのロックを解除する第２解除ステップと、を含むことを特徴とする請求項５又は６記載の媒体処理装置の制御方法。
【発明の詳細な説明】
【技術分野】
【０００１】
本発明は、例えば銀行カードやクレジットカードなどのカード状媒体に対して、情報の読み取り又は書き込みを行う媒体処理装置及びその制御方法に関する。
【背景技術】
【０００２】
従来から、金融機関などで使用され、キャッシュレスや個人認証などを実現するカードとして、プラスチック基板表面に磁気ストライプが形成された磁気カードや、プラスチック基板内部に集積回路チップ（ＩＣチップ）が埋設されるとともに、表面にＩＣ端子が配置されたＩＣカードがある。そして、これら磁気カードやＩＣカードに対する情報の記録又は再生は、磁気ヘッドやＩＣ接点を備えたカードリーダによって行われる
【０００３】
カードリーダでは、磁気カード表面上の磁気ストライプに磁気ヘッドを接触・摺動させることで、磁気カードに格納された磁気情報を読み取ったり、磁気カードに対して新たな磁気情報を書き込んだりする。また、ＩＣカード表面上の金属端子（ＩＣ端子）にＩＣ接点を接触・当接させることで、ＩＣカードに格納された電子情報を読み取ったり、ＩＣカードに対して新たな電子情報を書き込んだりする。
【０００４】
ここで、電子情報の読み取りや書き込みを行っている際に、故意又は過失でＩＣカードが引き抜かれると、ＩＣ通信が破断してしまう。これを防ぐ技術としては、例えば次のような技術がある（特許文献１〜３参照）。
【０００５】
特許文献１に開示された磁気カードリーダでは、ＩＣカードが挿入されると同時に、磁気ヘッドによる磁気検出が行われ、磁気が検出されなかったときに、ＩＣカードと判断してこれをロックするようにしている。また、特許文献２及び特許文献３に開示されたＩＣカード処理装置では、ホール素子等の金属センサを用いて、ＩＣカードが挿入されたか否かが検知され（金属センサは金属性のＩＣ端子に反応する）、ＩＣカードが挿入されたときにはロックをかけ、ＩＣ端子を有しないカード（例えば磁気ストライプのみのカード）が挿入されたときにはロックをかけないようにしている。
【０００６】
【特許文献１】特開平０２−１２６３８６号公報
【特許文献２】特開平０２−１２６３８５号公報
【特許文献３】特開２００５−７０８７０号公報
【発明の開示】
【発明が解決しようとする課題】
【０００７】
しかしながら、上述した特許文献１に開示された磁気カードリーダでは、カードに磁気ストライプが存在すればロックをかけられない構成であるため、近年広く普及しつつあるＩＣ及び磁気の共用カードが挿入された場合には、ロックをかけられないことになる。したがって、通信破断が生じる可能性がある。
【０００８】
また、上述した特許文献２及び特許文献３に開示されたＩＣカード処理装置は、金属センサによってカード上の端子の有無を検知するものであるため、その機構内に金属センサ等が配置されていなければならないところ、例えば、金属センサを有しない既存のＩＣカード処理装置に別途金属センサを追加するのは、容易なことではない（製品の機構上、金属センサを新たに追加できない場合もある）。
【０００９】
加えて、金属センサだけによる検知では、例えば悪戯によって金属板が差し込まれると、金属センサがＩＣ端子と誤検知し、ＩＣカードが挿入されたと誤判断してしまう場合も考えられる。
【００１０】
本発明は、以上の点に鑑みてなされたものであり、その目的は、金属センサを有しなくても、ＩＣカードのロック機能を簡易に実現することができ、ひいては通信破断を防ぐことが可能な媒体処理装置及びその制御方法を提供することにある。
【課題を解決するための手段】
【００１１】
以上のような課題を解決するために、本発明は、以下のものを提供する。
【００１２】
（１）  カードを挿入口から挿入し、カードの後端の少なくとも一部を当該挿入口から露出させた状態で搬送路の最奥位置に到達させた後、当該カードを引き抜く手動動作に対応してカードに対する情報の処理を実行する媒体処理装置において、カードに搭載された集積回路の端子に接触する接点機構と、カードが、前記端子と前記接点機構とが接触する接触位置まで挿入されたことを検知する検知手段と、前記接触位置にカードを固定するロック手段と、前記ロック手段によるロックの実行及び解除を制御する制御手段と、を備え、前記制御手段は、前記検知手段がカードの挿入を検知すると同時に、前記ロック手段によるロックを実行し、その後、前記集積回路の活性化処理に対応してカードが活性化しないとき、前記ロック手段のロックを解除することを特徴とする媒体処理装置。
【００１３】
本発明によれば、挿入したカードを引き抜く手動動作に対応して、カードに対する情報の処理を実行する媒体処理装置に、カードの端子に接触する接点機構と、カードが所定の接触位置まで挿入されたことを検知する検知手段と、カードを接触位置に固定するロック手段と、ロックの実行及び解除を制御する制御手段と、が設けられ、この制御手段によって、検知手段がカードの挿入を検知すると同時にロックを実行し、その後、カードが活性化しないと判断されたとき、ロックを解除することとしたので、ＩＣカードのロック機能を簡易に実現することができる。
【００１４】
すなわち、検知手段によってカード挿入が検知されると、とりあえずロックが実行され、その後、カード活性化の有無を判断して、活性化していないと判断されたときにロックを解除するようにしているので、例えばカード上の端子の有無を検知する金属センサや、磁気ストライプの有無を検知するセンサなど、別途新たなセンサを設けることなく、ロック機能を付加することができる。従って、たとえ金属センサ等を有しない既存の媒体処理装置であっても（ハードウェア構成を特に変更しなくても）、簡易にＩＣカードのためのロック機能を実現することができ、ひいては通信破断を防ぐことができる。
【００１５】
また、本発明は、操作性をも向上させることが可能である。詳細に説明すると、カード活性化の有無は、一般に、正常なＡＴＲ（Ａｎｓｗｅｒ Ｔｏ Ｒｅｓｅｔ）の有無で行われる。そして、このＡＴＲは、比較的短時間（例えば数十ｍｓ〜数百ｍｓ）で終了する（ＡＴＲを待機する時間は短い）。したがって、一旦ロックを行って解除された場合（例えば磁気カードの場合）であっても、ロックの掛っている時間は短いので、スムーズに引き抜き動作を実現することができ、ひいては操作性を向上させることができる。
【００１６】
（２）  前記搬送路に臨み、カードに搭載された磁気情報記録部に摺接する磁気処理手段を備えることを特徴とする媒体処理装置。
【００１７】
本発明によれば、上述した搬送路に臨み、カードに搭載された磁気情報記録部に摺接する磁気処理手段を備えることとしたので、仮に、上述したＡＴＲがなかった場合には、挿入されたカードはＩＣカードとしては使えないと判断され、直ちにロックが解除され、カード引き抜き時に磁気情報が読み取られる。従って、磁気カード運用（カードを挿入し、すぐに引き抜く一連の動作）に慣れたユーザに対しても、操作上の違いを強いることなく、ロック機能を実現することができる。
【００１８】
（３）  前記ロック手段は、ソレノイドと、当該ソレノイドによって移動するロックレバーを有しており、前記ロックレバーは、カードの位置をロックするロック位置と、カードのロックを解除する解除位置との間を移動することを特徴とする媒体処理装置。
【００１９】
本発明によれば、上述したロック手段には、ソレノイドと、そのソレノイドによって移動するロックレバーとが設けられ、ロックレバーは、カードの位置をロックするロック位置と、カードのロックを解除する解除位置との間を移動することとしたので、ユーザに違和感を与えることなく、迅速なロック解除を実現することができる。
【００２０】
すなわち、例えば、搬送路内のカードを沈み込ませてロックするような場合には、ロック実行からロック解除までの時間が掛かり、特に、上述した磁気カード運用に慣れたユーザだと違和感が生じてしまう。しかし、本発明のように、ロックするための駆動源としてソレノイドを採用し、かつ、ロックするための機構としてロックレバーを採用することによって、ユーザに違和感を与えることなく、迅速なロック解除を実現することができる。
【００２１】
（４）  前記検知手段は、カードの挿入に連動して移動する移動部材と、当該移動部材の移動により入射光が遮断されるフォトセンサと、を備えることを特徴とする媒体処理装置。
【００２２】
本発明によれば、上述した検知手段には、カードの挿入に連動して移動する移動部材と、その移動部材の移動により入射光が遮断されるフォトセンサと、が設けられることとしたので、カードが接触位置まで挿入されたことを、簡易かつ正確に検知することができる。
【００２３】
（５）  カードを挿入口から挿入し、カードの後端の少なくとも一部を当該挿入口から露出させた状態で搬送路の最奥位置に到達させた後、当該カードを引き抜く手動動作に対応してカードに対する情報の処理を実行する媒体処理装置の制御方法において、前記媒体処理装置には、カードに搭載された集積回路の端子に接触する接点機構が設けられており、カードが、前記端子と前記接点機構とが接触する接触位置まで挿入されたことを検知する検知ステップと、前記検知ステップにより、カードが、前記接触位置まで挿入されたことが検知されると同時に、カードをロックするロックステップと、前記ロックステップの後、処理対象となるカードの種別を判断する判断ステップと、前記判断ステップにおいて、カードがＩＣカードでないと判別されたとき、カードのロックを解除する解除ステップと、を含むことを特徴とする媒体処理装置の制御方法。
【００２４】
本発明によれば、上述した接点機構が設けられた媒体処理装置の制御方法で、カードが接触位置まで挿入されたことを検知する検知ステップ、検知ステップによりこれが検知されると、カードをロックするロックステップ、処理対象となるカードの種別を判断する判断ステップ、判断ステップの判断結果に応じてロックを解除する解除ステップ、が含まれることとしたので、別途新たなセンサを設けなくても、簡易にＩＣカードのためのロック機能を実現することができ、ひいては通信破断を防ぐことができる。
【００２５】
（６）  前記判断ステップは、上位装置からのコマンドに対してカードからの応答があるとき、カードをＩＣカードであると判別する一方で、上位装置からのコマンドに対してカードからの応答がないとき、ＩＣカードでないと判別することを特徴とする媒体処理装置の制御方法。
【００２６】
本発明によれば、上述した判断ステップは、上位装置からのコマンドに対してカードからの応答があるとき、カードをＩＣカードであると判別する一方で、上位装置からのコマンドに対してカードからの応答がないとき、ＩＣカードでないと判別することとしたので、上位装置と媒体処理装置との間における迅速な情報やり取りの中で、処理対象となるカード種別を判断することができる。
【００２７】
（７）  カードをＩＣカードであると判別したとき、前記集積回路に対する情報処理を実行するＩＣ処理ステップと、前記ＩＣ処理ステップの終了と同時に、カードのロックを解除する第２解除ステップと、を含むことを特徴とする媒体処理装置の制御方法。
【００２８】
本発明によれば、媒体処理装置の制御方法に、カードがＩＣカードであると判別したとき、集積回路に対する情報処理を実行するＩＣ処理ステップと、ＩＣ処理ステップの終了と同時に、カードのロックを解除する第２解除ステップと、が含まれることとしたので、ＩＣカードのロック実行→ＩＣ処理（データ通信）→ロック解除という一連の制御を迅速に行うことができる。
【発明の効果】
【００２９】
本発明に係る媒体処理装置及びその制御方法によれば、ＩＣカードのロック機能を簡易に付加することができ、ひいては通信破断を防ぐことができる。
【発明を実施するための最良の形態】
【００３０】
以下、本発明を実施するための最良の形態について、図面を参照しながら説明する。なお、本実施形態では、媒体処理装置として、カードとＩＣ通信（データ通信）を行うカードリーダ１を例にとって説明するが、本発明は、これに限られない。
【００３１】
図１は、本発明の実施の形態に係るカードリーダ１の機械構成を示す側面断面図である。図２は、本発明の実施の形態に係るカードリーダ１の機械構成を示す平面断面図である。なお、図１は、図２に示す平面断面図においてＡ−Ａ'で切断したときの様子を示している。
【００３２】
図１及び図２に示すカードリーダ１は、カード９を挿入口（カード搬送路８の入り口）から挿入し、カード９の後端（図２で言えば下端）の少なくとも一部を挿入口から露出させた状態（ユーザがカード９を摘んで引き抜けるように）で、カード搬送路（搬送路）８の最奥位置に到達させた後、カード９を引き抜く手動動作に対応して、カードに対する情報（例えば磁気情報）の処理を実行するものである。
【００３３】
図１及び図２において、カードリーダ１は、ソレノイド３によって移動されるロックレバー２を有しており、挿入されたカード９が、カード挿入終了位置（「接触位置」の一例）９ａにおいて、ロックレバー２のロック部２１によりロックされるように構成されている。
【００３４】
ロックレバー２は、その位置を変化させることによって、カードロック位置２４とカード非ロック位置２５との間を移動可能に設けられている部材であって、カードリーダ１のフレームに支点２３を中心として揺動可能に取り付けられている。ロックレバー２は、カード９の基端部９２と当接して、カード９を引き抜き不可能となるようにロックするロック部２１を有している。
【００３５】
ロック部２１は、カード９の基端部９２が引っ掛かるように形成されており、カードロック位置２４においてはカード搬送路８を横切りカード９が基端部９２側に移動しないようにロックしている。また、ロック部２１の先端のカード上面９３と摺接する部分は、そのカード上面９３に傷をつけたりすることのないように、例えば丸みが付けられた形状となっている。
【００３６】
ロックレバー２の揺動中心である支点２３とロック部２１との間には、係合孔２２が設けられている。この係合孔２２には、ソレノイド３のプランジャ３２の先端に設けられた係合ピン３１が嵌入され、ロックレバー２をソレノイド３の動きに連動させることができるようになっている。係合孔２２は、プランジャ３２の軸に対して斜めとされる移動孔部２２ａと、同軸にほぼ平行な保持孔部２２ｂとが滑らかに連続するように設けられ、また、途中で曲がる形状とされている。そして、移動孔部２２ａが保持孔部２２ｂよりもカード先端部９１側に位置するように、かつ、カード搬送路８側に向けて曲がるように設けられている。
【００３７】
したがって、プランジャ３２がソレノイド３の本体側から突出している状態では、係合ピン３１が移動孔部２２ａの端側に位置し、ロックレバー２は、そのロック部２１をカード搬送路８から引っ込めるカード非ロック位置２５に位置することになる。また、このような状態から、プランジャ３２をソレノイド３の本体側に引き込むようにすると、係合ピン３１が移動孔部２２ａの縁に摺接しながら移動することから、ロックレバー２がカードロック位置２４側へと揺動する。そして、係合ピン３１が保持孔部２２ｂに位置すると、ロックレバー２は、そのカードロック位置２４に位置した状態のまま、揺動不可能に保持されることになる。なお、プランジャ３２が逆に突出する方向に移動すると、ロックレバー２はロック状態から解放され、カード非ロック位置２５へと揺動する。
【００３８】
このように、係合孔２２は、ソレノイドの動きにあわせてロックレバー２を最適な位置に案内する形状に設けられている。この場合、各孔部２２ａ，２２ｂのストローク長や移動孔部２２ａの角度を変更することによって、ロックレバー２の動きを適宜変化させることができる。
【００３９】
また、プランジャ３２を往復動させることによりロックレバー２をカードロック位置２４とカード非ロック位置２５との間で揺動させるソレノイド３は、その本体側をフレームに固定されて設けられている。往復直線運動するプランジャ３２の先端には、係合ピン３１が、プランジャ３２の軸方向とほぼ直角となるように取り付けられている。プランジャ３２の周囲には、復帰用コイルバネ３３が設けられ、このプランジャ３２を突出させる方向に付勢している。
【００４０】
したがって、プランジャ３２は、ソレノイド３のコイルに通電していないオフ状態のときは、復帰用コイルバネ３３の付勢力によって突出している一方で、コイルをオン状態にしてソレノイド３を動作させると、電磁力によって本体側へと引き込まれる。
【００４１】
このように、本実施形態では、ソレノイド３を動作させてオン状態とすると、ロックレバー２をカードロック位置２４まで揺動させてその状態に保持することができ、ソレノイド３の動作を解除してオフ状態にすれば、ロックレバー２をカード非ロック位置２５に復帰させることができる。
【００４２】
なお、本実施形態では、上述したソレノイド３と、ソレノイド３によって移動するロックレバー２と、によって、カード９をカード挿入終了位置９ａに固定する「ロック手段」を構成している。また、ロックレバー２が、上述したように、カード９の位置をロックするカードロック位置２４と、カード９のロックを解除するカード非ロック位置２５との間を移動するようになっている。
【００４３】
一方、図１及び図２に示すカードリーダ１は、カード９の挿入を検知する検知スイッチ（「検知手段」の一例）４をも有している。この検知スイッチ４は、カード９がカードリーダ１内へ挿入されたことを検出し、ソレノイド３を動作させる手段として設けられている。また、検知スイッチ４は、カード９が最奥のカード挿入終了位置９ａに到達したことを検知する。すなわち、カード９が、後述するＩＣ端子パターン９５とＩＣ接点ブロック５とが接触する接触位置（カード挿入終了位置９ａ）まで挿入されたことを検知する。
【００４４】
なお、本実施形態では、検知スイッチ４として、センサバネ４１とフォトインタラプタ４３との組合せを用いている。センサバネ４１は、その一部がカード搬送路８内に位置し、カード９の先端部９１が当接することにより撓曲する。そして、センサバネ４１の先端には、遮蔽板４２が取り付けられ、センサバネ４１が撓曲することによって、フォトインタラプタ４３を横切って遮光するようにされている。
【００４５】
したがって、検知スイッチ４では、遮光によりカード９の挿入が検知されるようになっている。すなわち、本実施形態では、検知スイッチ４は、カード９の挿入に連動して移動する遮蔽板４２（「移動部材」の一例）と、遮蔽板４２の移動により入射光が遮断されるフォトインタラプタ（「フォトセンサ」の一例）４３と、から構成されている。ただし、検知スイッチ４は、このような光検知型のものに限られず、例えばマイクロスイッチ等を利用しても構わない。
【００４６】
また、カードリーダ１には、カード９の先端部９１が当接するカード当接部６と、カード９のＩＣ端子パターン（カード９に搭載された集積回路の端子）９５と接触する接点７とが設けられ、カード９の挿入に伴って斜めに移動してカード挿入終了状態では接点接触位置５ａに移動するＩＣ接点ブロック（「接点機構」の一例）５が設けられている。
【００４７】
ＩＣ接点ブロック５は、図１に示すように、平行リンク機構１２によりカード搬送路８と平行を保ちながら、斜めに移動するようにフレームに設けられている。フレームは、例えば鋼板や基板などであって、ＩＣ接点ブロック５は、このフレームに対してカード９の中心からやや角側にずれた位置に設けられている（図２参照）。
【００４８】
平行リンク機構１２は、同形状の２本のリンクで構成され（図１参照）、揺動することによってＩＣ接点ブロック５を平行移動させている。本実施形態では、ＩＣ接点ブロック５は、円弧上を斜めに移動するように設けられていることから、平行移動しながらカード搬送路８との距離を変化させ、その接点７をカード９のＩＣ端子パターン９５に接触させたり離反させたりすることが可能である。
【００４９】
ＩＣ接点ブロック５は、付勢部１１によってカード基端部９２側に付勢されているため、カード９が挿入されていないときは、非接点接触位置５ｂで待機している。また、ＩＣ接点ブロック５の片側面には、カード９と接触してＩＣ通信（データ通信）を行う接点７が設けられている。例えば、銅線などがＩＣ接点ブロック５の内部に巻かれ、その一端側が揺動可能とされるとともに、その途中の撓曲部がカード９のＩＣ端子パターン９５と接触するように、ＩＣ接点ブロック５の片側面から突出して設けられている。
【００５０】
したがって、接点７としては、銅線の弾性がカード９への押圧力として利用されている。この接点７は、カード９の先端部９１がＩＣ接点ブロック５のカード当接部６に当接したとき、カード９のＩＣ端子パターン９５と対向するような所定位置に設けられている。ここからカード９が更に挿入されると、ＩＣ接点ブロック５は、カード先端部９１側へカード９と同量だけ移動することから、接点７は、ＩＣ端子パターン９５に対向しながら接近して接触する。この場合、接点７は、カード９がカード挿入終了位置９ａに到達するまでに、ＩＣ端子パターン９５と接触するようにされている。
【００５１】
また、このようにして接触した接点７は、さらにカード９に近づくが、接点７自体の弾性を利用して、ＩＣ端子パターン９５に押圧状態で接触することになるため、互いの接触状態が良好に保たれている。このような状態においてカード９への通信を行う接点７としては、銅線など、導電性や弾性を兼ね備えたものが好ましい。
【００５２】
なお、図１及び図２では、カード９に磁気ストライプ（「磁気情報記録部」の一例）が形成されていた場合に、その磁気ストライプに摺接する磁気ヘッド５７（「磁気処理手段」の一例）の図示を省略している（図３に示す）。
【００５３】
図３は、本発明の実施の形態に係るカードリーダ１の電気的構成を示すブロック図である。
【００５４】
図３において、カードリーダ１は、主として、装置全体を統合的に制御するＣＰＵ５１と、各種プログラムやパラメータが格納されるＲＯＭ５２と、ＣＰＵ５１のワーキングエリアとして機能するＲＡＭ５３と、上述したソレノイド３（ソレノイド３を駆動するソレノイド駆動制御回路が、ＣＰＵ５１との間に介在していてもよい）と、上述した検知スイッチ４と、磁気カード処理回路５６と、ＩＣカード処理回路５８と、磁気ヘッド５７と、ＩＣ接点ブロック５と、を有している。
【００５５】
磁気カード処理回路５６は、磁気ヘッド５７を介してカード９の磁気ストライプに対する入出力信号を処理するものであって、ＩＣカード処理回路５８は、ＩＣ接点ブロック５（の接点７）を介してカード９のＩＣ端子パターン９５に対する入出力信号を処理するものである。特に、ＩＣカード処理回路５８は、一般に制御用ＩＣが実装されており、メイン基板上のＣＰＵ５１によってコントロールされる。
【００５６】
また、ＣＰＵ５１は、ＲＯＭ５２及びＲＡＭ５３と連携しながらソレノイド３をコントロールする。具体的には、上述したとおりで、例えば、プランジャ３２をソレノイド３の本体に引き込む制御をする。従って、ＣＰＵ５１，ＲＯＭ５２及びＲＡＭ５３といった要素は、ロック手段によるロックの実行及び解除を制御する「制御手段」の一例として機能する。
【００５７】
なお、本実施形態では、ＣＰＵ５１とＩＣカード処理回路５８は同一基板上にあるが、もちろん別基板であっても構わない。
【００５８】
図４は、本発明の実施の形態に係るカードリーダ１の制御方法を示すフローチャートである。
【００５９】
図４において、まず、カードリーダ１は、カード９の挿入を待機する。そして、カード９が挿入されたか否かが判断される（ステップＳ１）。カード９がカード搬送路８に挿入されたか否かは、ＣＰＵ５１によって、例えば磁気ヘッドやフォトセンサ（図示せず）を通じて検知することができる。
【００６０】
カード９の挿入を検知したら（ステップＳ１：ＹＥＳ）、上述した磁気ヘッド５７によって、カード９の磁気読み取りを開始する（ステップＳ２）。一方、カード９の挿入を検知しない場合には（ステップＳ１：ＮＯ）、そのまま待機する。
【００６１】
次に、カード挿入が完了したか否かが判断される（ステップＳ３）。具体的には、ＣＰＵ５１は、上述した検知スイッチ４からの検知信号を受信することによって、カード９がカード挿入終了位置９ａに達したか否かを判断する。カード９がカード挿入終了位置９ａに達するまで（ステップＳ３：ＮＯ）、ステップＳ３の処理を繰り返す。
【００６２】
カード９がカード挿入終了位置９ａに達した場合には（ステップＳ３：ＹＥＳ）、直ちにロック機構でロックする（ステップＳ４）。具体的には、ＣＰＵ５１は、検知スイッチ４がカード９の挿入を検知すると同時に、ソレノイド３をコントロールすることによって、ロックレバー２をカード非ロック位置２５からカードロック位置２４へと移動させる。これにより、ロックが完了する。
【００６３】
次に、カード９をＩＣカードとして活性化する（ステップＳ５）。具体的には、ＣＰＵ５１は、カード９に対してＩＣカードの活性化処理を行い、活性化可能な場合には、ＡＴＲを正常に受信する一方で、活性化不可能な場合には、ＡＴＲを正常に受信することができない。なお、ＡＴＲを正常に受信するまでの待機時間としては、所定の時間が設定されるが、例えば、数十ｍｓ〜数百ｍｓといった時間を待機することになる。
【００６４】
ステップＳ５の処理の結果、ＡＴＲを正常に受信しなかった場合には（ステップＳ６：ＮＯ）、直ちにカード９のロックを解除する（ステップＳ７）。カード９のロックが解除されると、カード９の引抜が可能となり（ステップＳ８）、カード９が引き抜かれる際に磁気読み取りが行われ、一連の処理が終了する。このように、本実施形態に係るカードリーダ１では、カード９の集積回路の活性化処理に対応してカード９が活性化しないとき、ロック手段のロックを解除するようにしている。
【００６５】
一方で、ステップＳ６において、ＡＴＲを正常に受信した場合には（ステップＳ６：ＹＥＳ）、カード９はＩＣカード（或いは磁気及びＩＣ併用のハイブリッドカード）であるとして、ロックを継続し、ＩＣ処理（データ通信）を継続する（ステップＳ９）。そして、このとき、引き続いてカード９を抜こうとしても、カード９の引き抜きは不可になっている（ステップＳ１０）。その後、ＩＣ処理が完了すると、一連の処理が終了する。
【００６６】
以上説明したように、本実施形態に係るカードリーダ１の制御方法には、カード９がＩＣ端子パターン９５とＩＣ接点ブロック５とが接触する接触位置（カード挿入終了位置９ａ）まで挿入されたことを検知する検知ステップ（図４のステップＳ３参照）、この検知ステップにより、カード９が、接触位置まで挿入されたことが検知されると同時に、カードをロックするロックステップ（図４のステップＳ４参照）、このロックステップの後、処理対象となるカードの種別を判断する判断ステップ（図４のステップＳ６参照）、この判断ステップにおいて、カード９がＩＣカードでないと判別されたとき（図４のステップＳ６：ＮＯ参照）、カード９のロックを解除する解除ステップ（図４のステップＳ７参照）、が含まれている。
【００６７】
また、これらのうち判断ステップ（図４のステップＳ６参照）では、ＩＣカードの活性化処理に対してカード９からの応答（ＡＴＲ）があるとき、カード９をＩＣカードであると判別し、ＩＣカードの活性化処理に対してカード９からの応答（ＡＴＲ）がないとき、カード９をＩＣカードでないと判別している。
【００６８】
さらに、本発明に係るカードリーダ１の制御方法には、カード９をＩＣカードであると判別したときには、カード９の集積回路に対する情報処理を実行するＩＣ処理ステップ（図４では図示せず）、このＩＣ処理ステップの終了と同時に、カード９のロックを解除する第２解除ステップ（図４では図示せず）、とが含まれるようにしてもよい。
【００６９】
［実施形態の効果］
以上説明したように、本実施形態に係るカードリーダ１及びその制御方法によれば、例えばカード９上のＩＣ端子パターン９５の有無を検知する金属センサ等がなくても（或いは、ハードウェア構成に変更を加えなくても、）、簡易にロック機能を実現することができ、ひいては簡易に通信破断を防ぐことができる。
【００７０】
また、カード活性化の有無はＡＴＲで行っているため（図４のステップＳ６参照）、一旦ロックが実行された場合であっても、カード９がＩＣカードでなければ迅速に解除されることになり、ひいては操作性を向上させることができる。なお、操作性向上に関しては、本実施形態では、ロック手段としてソレノイド３及びロックレバー２等を採用しており、これにより、迅速なロック実行及び迅速なロック解除を実現することができ、ひいてはユーザに違和感を与えるのを防ぐことができる。
【００７１】
なお、本実施形態では、主として、磁気及びＩＣ併用タイプのカード９を考えたが、例えば、このカード９がメモリーカードであってもよい。この場合、ある特定のメモリーカードでなければロックを解除する、というコントロールが可能になる。カード９としてメモリーカードを考えた場合、ＡＴＲのないものも存在するが、例えば、所定のエリアのコード等を確認して、処理対象となっているカードか否かの判断を行うことができる。
【産業上の利用可能性】
【００７２】
本発明に係る媒体処理装置及びその制御方法は、金属センサ等がなくても、ロック機能を簡易に実現することが可能なものとして有用である。
【図面の簡単な説明】
【００７３】
【図１】本発明の実施の形態に係るカードリーダの機械構成を示す側面断面図である。
【図２】本発明の実施の形態に係るカードリーダの機械構成を示す平面断面図である。
【図３】本発明の実施の形態に係るカードリーダの電気的構成を示すブロック図である。
【図４】本発明の実施の形態に係るカードリーダの制御方法を示すフローチャートである。
【符号の説明】
【００７４】
１  カードリーダ
２  ロックレバー
３  ソレノイド
４  検知スイッチ
５  ＩＣ接点ブロック
６  カード当接部
７  接点
８  カード搬送路
９  カード
【図１】
2008203918.tif 000003
【図２】
2008203918.tif 000004
【図３】
2008203918.tif 000005
【図４】
2008203918.tif 000006